(57)【特許請求の範囲】
【請求項１】
棚を構成する棚板の両側にそれぞれ２つある連結板と前記棚板とを回転可能に係合し、前記棚を支える回転軸側支持手段に対して前記２つの連結板を回転させる回転支点の間に距離を設けることにより、棚の出し入れ時に棚面が平行に動いて、飲み物などをそのまま収納できることを特徴とする可動式の収納棚本体と、当該収納棚本体の前記回転支点を軸支する前記回転軸側支持手段と、前記回転軸側支持手段に対して略同一水平面内で前記収納棚本体の反対側にある非回転軸側支持手段と、当該２つの支持手段を横架する２つの横架手段とを備える、自動車の天井に収納することができるコンパクトな天井収納棚。
【請求項２】
自動車の天井面と概ね平行な面に収納できる請求項１に記載の天井収納棚。
【請求項３】
自動車内の側面パネル上部の段差、該段差の前方部にあるテーパー部及び該段差の後方にある自動車内のコーナー部を利用して、天井収納棚が自動車の前後方向に動かないように抱持する回転軸側支持手段及び非回転軸側支持手段を有し、前記回転軸側支持手段と前記非回転軸側支持手段とを横架する横架手段を有する請求項１及び請求項２に記載の天井収納棚。
【請求項４】
自動車内の側面パネル上部にある、乗り降りを補助するアシストグリップの取付部、その他の自動車にあるサービスホール、あるいは自動車の車体に開けた穴を利用して、天井収納棚を自動車内に係止あるいは緊結した請求項１及び請求項２に記載の天井収納棚。
【請求項５】
溶接、接着剤その他の固定方法により天井収納棚を自動車内に係止あるいは緊結した請求項１、請求項２及び請求項３に記載の天井収納棚。
【請求項６】
棚が１段から複数段からなる請求項１から請求項５までに記載の天井収納棚。
【請求項７】
棚を天井に出し入れする可動部が1箇所又は複数箇所である請求項１から請求６までに記載の天井収納棚。
【請求項８】
締結部品を除いて、材料が木、プラスチック、又は軽金属からなる請求項１から請求項７までに記載の天井収納棚。
【発明の詳細な説明】
【技術分野】
【０００１】
ワゴン車やバンなどの自動車全般用の天井の天井収納棚に関する技術分野の発明である。
【背景技術】
【０００２】
ワゴン車やバンなどの自動車全般用の天井に収納可能であり、必要な時に使用状態にセットすることができる、キャンプ用品、防災セット、その他の物を収納するための収納棚が求められている。
【先行技術文献】
【特許文献】
【０００３】
【特許文献１】特開2008-110153
【特許文献２】特許第6309560号
【発明の概要】
【発明が解決しようとする課題】
【０００４】
文献１及び文献２ともキッチンの流し台や調理台の天井において、棚部材を前後方向に大きく移動させずに収納状態と降下完了状態を切換え可能な昇降棚を提供するものである。しかし、棚は単数であって複数の棚に対応するものでなく、また該昇降棚はキッチン天井に固定されるものであり、ワゴン車やバンなどの自動車用として適していなかった。
【０００５】
ワゴン車やバンなどの自動車内に、ボルト・ナット締結やビス留めをしないで天井収納棚を設置するためには、天井収納棚が軽量であることが必要になる。
【課題を解決するための手段】
【０００６】
棚を構成する棚板の両側にそれぞれ２つある連結板と前記棚板とを回転可能にピンその他により係合し、前記棚を支える回転軸側支持手段に対して前記２つの連結板を回転させる回転支点の間に距離を設けることにより、棚の出し入れ時に棚面が平行に動いて、飲み物などをそのまま収納できることを特徴とする可動式の収納棚本体と、
当該収納棚本体の前記回転支点を軸支する前記回転軸側支持手段と、
前記回転軸側支持手段に対して略同一水平面内で前記収納棚本体の反対側にある非回転軸側支持手段と、
当該２つの支持手段を横架する２つの横架手段とを備える、
自動車の天井に収納することができるコンパクトな天井収納棚
によって課題を解決する。
【０００７】
自動車の天井面と概ね平行な面に収まる前記天井収納棚によって課題を解決する。
【０００８】
自動車内の側面パネル上部の段差及び該段差の前方部（自動車の進行方向を前方という。）にあるテーパー部及び該段差の後方（自動車の進行方向の反対向きを後方という。）にある自動車内のコーナー部を利用して、天井収納棚が自動車の前後方向に動かないように抱持する回転軸側支持手段及び非回転軸側支持手段を有し、
前記回転軸側支持手段と前記非回転軸側支持手段とを上下方向に動かないように横架する横架手段を有することによって、
自動車と天井収納棚とをボルト・ナットやビス留めをしないで係止あるいは緊結した前記天井収納棚によって課題を解決する。
【０００９】
前述の方法とは異なる、自動車と前記天井収納棚との係止あるいは緊結の方法として、自動車内の座席の上方にあるアシストグリップの取付部その他の自動車にあるサービスホールを利用して、あるいは自動車の車体に開けた穴を利用して、又は溶接や接着剤により、前記天井収納棚を自動車に係止あるいは緊結した天井収納棚によって課題を解決する。
【００１０】
棚が１段から複数段からなる前記天井収納棚によって課題を解決する。
【００１１】
棚を天井に出し入れする可動部が1箇所又は複数箇所である前記天井収納棚によって課題を解決する。
【００１２】
締結部品を除いて、材料が木、プラスチック、又は軽金属からなる前記天井収納棚によって課題を解決する。
【発明の効果】
【００１３】
ワゴン車やバンなどの自動車全般用の、棚の出し入れ時に棚面が平行に可動し、飲み物などをそのまま収納でき、１つの該可動部に複数の棚を設けることができ、さらに該可動部を複数配置できる天井収納棚が実現した。
【００１４】
自動車内の側面パネル上部の段差、該段差の前方部にあるテーパー部及び該段差の後方にある自動車のコーナー部を利用して前後方向を拘持し、車内の両側の該拘持部を横架することによって、自動車と天井収納棚とをボルト・ナット締結やビス留めをしないで係止あるいは緊結する天井収納棚が実現した。
【図面の簡単な説明】
【００１５】
【図１】天井収納棚の収納棚本体の機構の概略図
【図２】自動車の天井に天井収納棚を収納した状態の概略図
【図３】天井収納棚を降下させた状態が自動車の左側である場合に、使用状態に収納棚本体を降下させた状態の側面から見た概略図
【図４】天井収納棚を降下させた状態が自動車の左側である場合に、使用状態に収納棚本体を降下させた状態の後側から見た概略図
【図５】自動車内における天井収納棚を係止あるいは緊結する方法の説明図
【図６】自動車内における天井収納棚の横架手段の説明図
【図７】天井収納棚を降下させた状態が自動車の右側である場合に、天井収納棚を降下している状態の側面方向から見た概略図
【図８】天井収納棚を降下させた状態が自動車の右側である場合に、天井収納棚を降下している状態の後方から見た概略図
【図９】天井収納棚を降下させた状態が自動車の前後方向である場合に、天井収納棚を収納している状態の概略図
【図１０】天井収納棚を降下させた状態が自動車の前後方向である場合に、天井収納棚を降下している状態の側面から見た概略図
【図１１】天井収納棚を降下させた状態が自動車の前後方向である場合に、天井収納棚を降下している状態の後方から見た概略図
【図１２】天井収納棚を収納した状態を自動車後方から見た写真
【図１３】天井収納棚の降下した状態が自動車の進行方向に対し左側である場合に、自動車側面方向から見た写真
【図１４】天井収納棚の降下した状態が自動車の進行方向に対し左側である場合に、自動車後方から見た写真
【発明を実施するための形態】
【００１６】
次に、添付の図面を参照しながら実施例により本発明の実施の形態について詳しく説明する。添付の図面は１つの実施例であって発明はこれらに限られない。
【実施例】
【００１７】
棚を構成する棚板の両側にそれぞれ２つある連結板と該棚板とを回転可能にピンにより係合し、前記棚を支える回転軸側支持手段に対して前記２つの連結板を回転させる回転支点の間に距離を設けることにより、棚の出し入れ時に棚面が平行に動いて、飲み物などをそのまま収納できる。
図１は、天井収納棚を降下させた状態が自動車の左側である場合に、自動車内天井に配置された天井収納棚１の収納棚本体２の側面を自動車の後方から見た図である。収納棚本体２の反対側（自動車から見ると前方。）の側面も同様になっている。図において、前記収納棚本体２は、３つの棚板３、４及び５、並びに第１連結板９及び第２連結板１０からなる。前記棚板３，４及び５はピン１１、１２、１３により前記第１連結板９と回転可能に係合し、ピン１４、１５及び１６により第２連結板１０と回転可能に係合している。棚として使用する場合には、天井収納棚１の回転軸側支持手段３０に設置されたピン１７及びピン１８を支点にそれぞれ第１連結板及び第２連結板が下方に回転し、収納棚本体２は収納棚本体２’の位置に、前記棚板３、４及び５はそれぞれ棚板３’、４’及び５’の位置にセットされる。このとき、前記棚板３、４及び５のそれぞれの上面６、７及び８は、前記回転中もこれらの面を水平に保ちながら、前記セット位置ではそれぞれ上面６’、７’及び８’の位置にセットされる。
【００１８】
図２は自動車の上方向から前記天井収納棚１を見た図で、前記天井収納棚１の前記収納棚本体２及びもう１つの収納棚本体１９が天井に収納されている。
図３は自動車の側面方向から見た図で、前記収納棚本体２及び前記収納棚本体１９が降下した状態である。前記収納棚本体２と前記収納棚本体１９とは別々に降下させることができる。
図４は自動車の後方から見た図で、前記収納棚本体１９が降下した状態である。
【００１９】
図５は自動車左側の概略の断面図で、天井収納棚１の前方（自動車の進行方向の側。）の底枠２３及び後方（自動車の進行方向に対して反対の側。）の底枠２５は自動車内の段差２１の上に設置され、前記段差２１の前方部にある、図示していないテーパー部及び前記段差２１の後方にある自動車内のコーナー部３２により前後方向に動かないように拘持される。同様に前記天井収納棚１の右側においても、図示していない前方の底板２８及び後方の底板２９が図示していない右側の自動車内の段差２７に設置され、段差２７の前方部にあるテーパー部及び該段差２７の後方にある自動車内のコーナー部により前後方向に動かないように拘持される。前方の左右の底板２３及び底板２８は横架手段である横架板２２によって上下方向に動かないように横架される。同様に、後方の左右の底板２５及び底板２９は横架手段である横架板２４によって上下方向に動かないように横架される。
図６において、天井収納棚１の左右を横架板２２及び横架板２４が横架をしている。
これらによって天井収納棚１は前後方向及び上下方向とも係止あるいは緊結され、自動車と天井収納棚とをボルト・ナットやビス留めをしないで係止あるいは緊結される。
【００２０】
図７及び図８は自動車の右側で棚を使用する場合である。また、自動車の前後方向で使用するようにすることもでき、自動車の前後方向に設置する場合に、図９は天井に収納している天井収納棚を自動車上方からみた概略図、図１０は天井収納棚を降下させている状態を自動車の側面方向から見た概略図、図１１は天井収納棚を降下させている状態を自動車の後方から見た概略図である。
【００２１】
図１２から図１４までに、天井収納棚を降下した状態が自動車の左側である場合に自動車に設置した写真を示す。
【００２２】
前述の方法とは異なる、自動車と前記天井収納棚との係止あるいは緊結の方法として、自動車内の座席の上方にあるアシストグリップの取付部その他の自動車にあるサービスホールを利用して、あるいは自動車の車体に穴を開けて、前記天井収納棚を自動車に螺子留め又はビス留めにより係止あるいは緊結できる。
【００２３】
前述の方法とは異なる、自動車と前記天井収納棚との係止あるいは緊結の方法として、溶接、接着剤その他の方法により自動車内に係止あるいは緊結できる。
【産業上の利用可能性】
【００２４】
ワゴン車やバンなどの自動車全般の天井に天井収納棚が設置できるようになり、キャンプ用品、防災用品その他の物の収納が便利になり、また天井収納時には他の荷物の収納や人員の乗車にも支障がないので、産業上の利用ができる。
【符号の説明】
【００２５】
１：天井収納棚、２：収納棚本体、３：最下段の棚、４：中段の棚、５：最上段の棚、６：最下段の棚３の上面、７：中段の棚４の上面、８：最上段の棚５の上面、９：棚３から棚５の第１連結板、１０：棚３から棚５の第２連結板、１１〜１３：棚３から棚５と第１連結板とを係合するピン、１４〜１６：棚３から棚５と第２連結板とを係合するピン、１７：第１連結板の回転支点のピン、１８：第２連結板の回転支点のピン、１９：自動車後方の収納棚本体、２０：自動車、２１：自動車内の側面パネル上部の段差、２２：天井収納棚１の前方の横架板、２３：天井収納棚１の前方の底枠、２４：天井収納棚１の後方の横架板、２５：天井収納棚１の後方の底枠、３０：天井収納棚１の回転軸側支持手段、３１天井収納棚１の非回転軸側支持手段、３２：自動車内の段差後方にあるコーナー部
【要約】
【課題】  自動車全般の天井用として、棚面を水平に保ちながら収納でき、さらに多段の棚に対応できる天井収納棚、またワゴン車やバンなどの自動車用の天井収納棚として、ボルト・ナット締結やビス留めを要しないで固定できる収納棚が求められていた。
【解決手段】  自動車の天井収納棚として、棚の出し入れ時に棚面が平行に動いて、飲み物などをそのまま収納でき、自動車内の側面パネル上部の段差、該段差の前方部にあるテーパー部及び該段差の後方にある自動車内のコーナー部を利用して前後方向を拘持することによって、自動車と天井収納棚とをボルト・ナットやビス留めをしないで係止あるいは緊結するコンパクトな天井収納棚、他の方法として座席上方にあるアシストグリップの取付部などを利用して係止あるいは緊結するコンパクトな天井収納棚によって課題を解決した。
【選択図】図１【図１】
0006865882.tif 000002
【図２】
0006865882.tif 000003
【図３】
0006865882.tif 000004
【図４】
0006865882.tif 000005
【図５】
0006865882.tif 000006
【図６】
0006865882.tif 000007
【図７】
0006865882.tif 000008
【図８】
0006865882.tif 000009
【図９】
0006865882.tif 000010
【図１０】
0006865882.tif 000011
【図１１】
0006865882.tif 000012
【図１２】
0006865882.tif 000013
【図１３】
0006865882.tif 000014
【図１４】
0006865882.tif 000015